(57)【要約】【課題】ピアノハンドルを薄型化して化粧プレートの表面からの突出量を減らしたワイヤレススイッチを提供する。【解決手段】スイッチ本体１の前面には、ワイヤレスリモコン６から送信された切替信号を受信するワイヤレス受信部の受光素子が配設されるとともに、押操作に応じて操作信号を発生する押釦スイッチの押釦が露設されている。またスイッチ本体１の前面には、ピアノタッチ操作で押釦を押圧するピアノハンドル４が回動自在に枢着されており、ワイヤレス受信部が受信した切替信号、或いは、ピアノハンドル４の押操作に応じて発生する押釦スイッチの操作信号に基づいて内部の接点がオン／オフされる。ここで、ピアノハンドル４の前面には薄肉の取付部２６が形成されており、この取付部２６にワイヤレスリモコン６が永久磁石８の磁力によって着脱自在に装着されている。【選択図】図１
2005038795.tif 000002
【特許請求の範囲】
【請求項１】
赤外線のような光信号よりなるワイヤレス信号で送信された切替信号を受信するワイヤレス受信部が表面に設けられるとともに、押操作に応じて操作信号を発生する押釦スイッチの押釦が前面に露設されたスイッチ本体と、スイッチ本体の内部に収納されて、ワイヤレス受信部が受信した切替信号及び押釦スイッチの操作信号に応じて内部の接点をオン／オフする接点切替部と、スイッチ本体の前面に取り付けられてピアノタッチ操作で押釦を押圧するピアノハンドルと、ピアノハンドル前面の少なくとも一部に形成された他の部位よりも薄肉の取付部に着脱自在に取り付けられるリモコン本体および当該リモコン本体の表面に設けられたリモコン操作部の操作に応じて上記切替信号をワイヤレス信号で送信するワイヤレス送信部を具備したワイヤレスリモコンと、ワイヤレスリモコンとピアノハンドルとを磁力で結合する結合手段とを備えることを特徴とするワイヤレススイッチ。
【請求項２】
上記結合手段は、ワイヤレスリモコンに取り付けられた永久磁石と、該永久磁石に対応するピアノハンドルの部位に取り付けられた磁性体とで構成されることを特徴とする請求項１記載のワイヤレススイッチ。
【請求項３】
上記ピアノハンドルは前面視の形状が略矩形状であって、対向する２辺の内の一端側にスイッチ本体に枢支される枢支部が形成されるとともに、他端部の裏面に中央部から両側部にかけてスイッチ本体の前面から遠ざかる向きに傾斜するテーパ面が形成されたことを特徴とする請求項１記載のワイヤレススイッチ。
【請求項４】
上記ピアノハンドルは前面視の形状が略矩形状であって、対向する２辺の内の一側にスイッチ本体に枢支される枢支部が形成されており、上記リモコン本体は直方体状であって、対向する２つの側壁がピアノハンドルの上記対向２辺と略並行するようにピアノハンドルの前面に取り付けられ、リモコン本体の前面は上記２つの側壁の対向する方向における中間部が両側部に比べて前方に突出するような曲面形状に形成されており、リモコン本体の対向する他の２つの側壁の内の一方にワイヤレス送信部の発光素子を配置するとともに、他方にワイヤレス送信部に動作電源を供給する釦電池を保持した電池ホルダーが挿抜自在に挿入される挿入口を設けたことを特徴とする請求項１記載のワイヤレススイッチ。
【請求項５】
上記ピアノハンドルは前面視の形状が略矩形状であって、対向する２辺の内の一端側にスイッチ本体に枢支される枢支部が形成されており、他端側の両側部に対向するスイッチ本体の部位に、ピアノハンドルの背面とそれぞれ当接してピアノハンドルを前方に押圧する一対の弾性付勢片を樹脂製のスイッチ本体と一体に形成したことを特徴とする請求項１記載のワイヤレススイッチ。
【発明の詳細な説明】
【技術分野】
【０００１】
本発明は、ワイヤレススイッチに関するものである。
【背景技術】
【０００２】
従来より、図１４に示すように、押操作に応じて操作信号を発生する押釦スイッチの押釦（図示せず）が前面に露設されたスイッチ本体１００と、スイッチ本体１００の内部に収納され、押釦スイッチの操作信号に応じて内部の接点をオン／オフさせる負荷開閉部（図示せず）と、スイッチ本体１００の前面に取り付けられてピアノタッチ操作で押釦を押圧するピアノハンドル１０１とを備え、内部の接点をオン／オフさせることで、接点間に接続された負荷への電源供給をオンオフする所謂ピアノハンドル式のスイッチ装置が提供されている。このスイッチ装置はスイッチボックスなどに取り付けられる取付枠（図示せず）を介して造営面に埋設固定され、取付枠の前面側にはプレート枠１０２を介して化粧プレート１０３が取り付けられており、化粧プレート１０３に設けた窓孔からピアノハンドル１０１が前面に露出している。
【０００３】
また、このようなピアノハンドル式のスイッチ装置に、ワイヤレスリモコンからワイヤレス信号で送信された切替信号を受信するワイヤレス受信部を設け、ワイヤレスリモコンからの切替信号又は押釦スイッチの操作信号の何れかで負荷をオン／オフするスイッチ装置も提供されている（例えば特許文献１）。
【特許文献１】特開平１１−２５８２２号公報
【発明の開示】
【発明が解決しようとする課題】
【０００４】
ところで、上述のスイッチ装置に用いるワイヤレスリモコンは、壁に固定される壁掛け式ホルダーで保持されるようになっているので、壁掛け式ホルダーが別途必要になり、また壁に固定された壁掛け式ホルダーが配線器具よりも前方に突出することから、ワイヤレスリモコンと既存の埋込型の配線器具とのデザインを統一するには限界があった。
【０００５】
そこで、ワイヤレスリモコンの不使用時にはピアノハンドルの前面側にワイヤレスリモコンを取り付けておくようにしたものも提案されているが、ピアノハンドル１０１の操作性を良好にするために、ピアノハンドル１０１の押操作側は化粧プレート１０３の表面よりも前方に突出しているので、このピアノハンドル１０１の前面側にワイヤレスリモコンを取り付けると、化粧プレート１０３の表面からの突出量が大きくなって、既存の埋込型の配線器具とのデザインの統一性がとれなくなるという問題があった。
【０００６】
本発明は上記問題点に鑑みて為されたものであり、その目的とするところは、ピアノハンドルを薄型化して化粧プレートの表面からの突出量を減らしたワイヤレススイッチを提供することにある。
【課題を解決するための手段】
【０００７】
上記目的を達成するために、請求項１の発明は、赤外線のような光信号よりなるワイヤレス信号で送信された切替信号を受信するワイヤレス受信部が表面に設けられるとともに、押操作に応じて操作信号を発生する押釦スイッチの押釦が前面に露設されたスイッチ本体と、スイッチ本体の内部に収納されて、ワイヤレス受信部が受信した切替信号及び押釦スイッチの操作信号に応じて内部の接点をオン／オフする接点切替部と、スイッチ本体の前面に取り付けられてピアノタッチ操作で押釦を押圧するピアノハンドルと、ピアノハンドル前面の少なくとも一部に形成された他の部位よりも薄肉の取付部に着脱自在に取り付けられるリモコン本体および当該リモコン本体の表面に設けられたリモコン操作部の操作に応じて上記切替信号をワイヤレス信号で送信するワイヤレス送信部を具備したワイヤレスリモコンと、ワイヤレスリモコンとピアノハンドルとを磁力で結合する結合手段とを備えることを特徴とする。
【０００８】
この発明によれば、ピアノハンドルの前面に薄肉の取付部を設けて、この取付部にワイヤレスリモコンを装着しているので、ワイヤレスリモコンの壁面からの突出量をできるだけ小さくでき、また取付部を薄肉に形成することで、磁力で吸着する側と吸着される側との間隔を小さくして、磁力による結合力を高めることができ、ワイヤレスリモコンの取付強度が向上する。
【０００９】
請求項２の発明は、請求項１の発明において、上記結合手段は、上記結合手段は、ワイヤレスリモコンに取り付けられた永久磁石と、該永久磁石に対応するピアノハンドルの部位に取り付けられた磁性体とで構成されることを特徴とする。
【００１０】
この発明によれば、ワイヤレスリモコンをスチール製の机や冷蔵庫など磁性体でできたものに取り付けて使用できるので、使い勝手が向上する。
【００１１】
請求項３の発明は、請求項１の発明において、上記ピアノハンドルは前面視の形状が略矩形状であって、対向する２辺の内の一端側にスイッチ本体に枢支される枢支部が形成されるとともに、他端部の裏面に中央部から両側部にかけてスイッチ本体の前面から遠ざかる向きに傾斜するテーパ面が形成されたことを特徴とする。
【００１２】
ところでピアノハンドルの取付部を薄肉にした場合は、樹脂成型時に発生する応力などによってピアノハンドルの端が多少反ることも考えられるが、この発明によれば、ピアノハンドルの対向する２辺の内、枢支部を形成した側と反対側の端部の裏面に、中央部から両側部にいくほど、スイッチ本体から遠ざかる向きに傾斜するテーパ面が形成されているので、ピアノハンドルの両側部が多少反っていたとしても、ピアノハンドルの両側付近でピアノハンドルの裏側面とスイッチ本体の前面との間の隙間（ストローク）を確実に確保でき、ピアノハンドル４の両側部を押してスイッチ操作を行うことができる。
【００１３】
請求項４の発明は、請求項１の発明において、上記ピアノハンドルは前面視の形状が略矩形状であって、対向する２辺の内の一側にスイッチ本体に枢支される枢支部が形成されており、上記リモコン本体は直方体状であって、対向する２つの側壁がピアノハンドルの上記対向２辺と略並行するようにピアノハンドルの前面に取り付けられ、リモコン本体の前面は上記２つの側壁の対向する方向における中間部が両側部に比べて前方に突出するような曲面形状に形成されており、リモコン本体の対向する他の２つの側壁の内の一方にワイヤレス送信部の発光素子を配置するとともに、他方にワイヤレス送信部に動作電源を供給する釦電池を保持した電池ホルダーが挿抜自在に挿入される挿入口を設けたことを特徴とする。
【００１４】
この発明によれば、ピアノハンドルの対向する２辺の内の一側に枢支部が形成されており、この対向２辺とリモコン本体の対向する２つの側壁とが略平行するようにリモコン本体がピアノハンドルの前面に取り付けられており、リモコン本体の前面は２つの側壁の対向する方向における中間部が両側部に比べて前方に突出するような曲面形状に形成されているので、ピアノハンドルの操作性を良好にできる。またピアノハンドルの対向２辺に並行するリモコン本体の対向する２つの側壁に電池ホルダーの挿入口を設けたり、発光素子を配置すると、リモコン本体の２つの側壁が対向する方向の中間部の厚みが厚くなって、壁面からの突出量が大きくなり、またリモコン本体の対向する他の２つの側壁の内の一方に電池ホルダーと発光素子を共に配置すると、電池の収納スペースを確保するためにリモコン本体の厚みが厚くなるが、リモコン本体の対向する他の２つの側壁の内の一方に発光素子を配置し、他方に電池ホルダーの挿入口を設けているので、リモコン本体の厚み寸法を小さくして、壁面からの突出量を少なくでき、他の配線器具とデザインの統一性を図ることができる。
【００１５】
請求項５の発明は、請求項１の発明において、上記ピアノハンドルは前面視の形状が略矩形状であって、対向する２辺の内の一端側にスイッチ本体に枢支される枢支部が形成されており、他端側の両側部に対向するスイッチ本体の部位に、ピアノハンドルの背面とそれぞれ当接してピアノハンドルを前方に押圧する一対の弾性付勢片を樹脂製のスイッチ本体と一体に形成したことを特徴とする。
【００１６】
ところでピアノハンドルの取付部を薄肉にした場合は、樹脂成型時に発生する応力などによってピアノハンドルの端が多少反ることも考えられるが、この発明によれば、
ピアノハンドルの対向する２辺の内、枢支部を設けた側と反対側の両側部に対向するスイッチ本体の部位に、ピアノハンドルの背面と当接してピアノハンドルを前方に押圧する一対の弾性付勢片を設けているので、一対の弾性付勢片でピアノハンドルの両側部を前方に押圧することによって、ピアノハンドルの裏側面とスイッチ本体の前面との間の隙間（ストローク）を確実に確保でき、ピアノハンドルの両側部を押してスイッチ操作を行うことができる。
【発明の効果】
【００１７】
以上説明したように、本発明では、ピアノハンドルの前面に薄肉の取付部を設けて、この取付部にワイヤレスリモコンを装着しているので、ワイヤレスリモコンの壁面からの突出量をできるだけ小さくでき、また取付部を薄肉に形成することで、磁力で吸着する側と吸着される側との間隔を小さくして、磁力による結合力を高めることができ、ワイヤレスリモコンの取付強度が向上するという効果がある。
【発明を実施するための最良の形態】
【００１８】
以下に本発明の実施の形態を図１〜図１３に基づいて説明する。本実施形態のワイヤレススイッチは、ボディ２及びカバー３からなるスイッチ本体１と、スイッチ本体１に枢着されるピアノハンドル４と、ピアノハンドル４の片側に取着される受光カバー５と、ピアノハンドル４に着脱自在に取り付けられるワイヤレスリモコン６と、スイッチ本体１の内部に収納される２枚のプリント基板７とを主要な構成として有する。
【００１９】
先ず本実施形態の回路構成を図１２及び図１３に基づいて説明する。なお図１２はスイッチ本体１側の回路構成を示す回路図であり、図１３はワイヤレスリモコン６側の回路構成を示す回路図である。
【００２０】
スイッチ本体１は、商用電源ＡＣが接続される接続端子Ｔ１，Ｔ２と、照明器具や換気扇などの負荷Ｌが接続される接続端子Ｔ３，Ｔ４とを有し、接続端子Ｔ１，Ｔ３は共通接続されている。またスイッチ本体１側の回路は、接続端子Ｔ２，Ｔ４間に接続されて負荷への電源供給をオン／オフするトライアックのようなスイッチ素子Ｑ１と、フォトダイオードなどの受光素子を具備した受光モジュール７２ａを有し、ワイヤレスリモコン６から赤外線のような光信号で送信された切替信号を受信するワイヤレス受信部７２と、マイクロコンピュータからなりワイヤレス受信部７２の受信した切替信号或いは押釦スイッチＳＷ１の操作信号に基づいて負荷のオン／オフを制御するための制御信号を発生する制御回路部７０と、フォトトライアックＱ２などからなり制御回路部７０の制御信号に応じてスイッチ素子Ｑ１を開閉駆動する負荷開閉部７１と、接続端子Ｔ１，Ｔ２間に入力端子間が接続されて商用電源ＡＣの電源電圧を整流するダイオードブリッジのような整流回路部７３と、整流回路部７３の整流出力を平滑して制御部回路７０やワイヤレス受信部７２などの動作電源を生成する電源部７４とを備えている。尚、図中のＬＤ１は負荷Ｌの停止時に点灯して位置表示を行うための発光ダイオードであり、ＳＷ２はチャンネル切替のための切替スイッチである。
【００２１】
一方、ワイヤレスリモコン６内に収納される回路は、マイクロコンピュータからなり操作スイッチＳＷ３の操作入力に応じて負荷をオン／オフするための制御信号を発生する制御回路部８０と、赤外線のような光信号からなるワイヤレス信号で切替信号を送信する発光ダイオードＬＤ２と、制御回路部８０の制御信号に応じて発光ダイオードＬＤ２を駆動することによって切替信号を送信する送信回路部８１と、釦電池のような電池Ｂを電源として制御回路部８０及び送信回路部８１に電源を供給する電源回路部８２とを備える。尚、図中のＳＷ４はチャンネル切替のための切替スイッチである。
【００２２】
ワイヤレスリモコン６では、操作スイッチＳＷ３が押操作されると操作スイッチＳＷ３の操作信号が制御回路部８０に入力され、この操作信号に応じて制御回路部８０が制御信号を発生する。そして、送信回路部８１が制御回路部８０の制御信号に応じて発光ダイオードＬＤ２を駆動し、赤外線のような光信号からなるワイヤレス信号で負荷の切替信号を送信する。一方、スイッチ本体１の内部回路では、制御回路部７０がワイヤレス受信部７２からの信号入力及び押釦スイッチＳＷ１からの操作入力を監視しており、ワイヤレス受信部７２の受信した切替信号が入力されるか、押釦スイッチＳＷ１が押操作されて操作信号が入力されると、これらの切替信号及び操作信号に基づいてスイッチ素子Ｑ１のオン／オフを反転させる制御信号を発生し、この制御信号に基づいて負荷開閉部７１がスイッチ素子Ｑ１を開閉駆動し、負荷Ｌへの電源供給をオン／オフする。また制御回路部８０は、負荷Ｌへの電源供給をオフする間、発光ダイオードＬＤ１に電流を供給して、発光ダイオードＬＤ２を点灯させ、位置表示を行う。尚、ワイヤレスリモコン６からワイヤレス信号で送信される切替信号には、切替スイッチＳＷ４によって設定されたチャンネルのデータが含まれており、制御回路部７０では、切替スイッチＳＷ４によって設定されたチャンネルと、切替スイッチＳＷ２で設定された自己のチャンネルとが一致する場合のみ、ワイヤレスリモコン６からの切替信号を受け付けるようにしている。
【００２３】
次に本実施形態のワイヤレススイッチの構造を図１〜図１１に基づいて説明する。尚、以下の説明では特に断りがない限り、図１に示す向きにおいて上下左右の方向を規定し、図４中の左側を前側、同図中の右側を後側とする。
【００２４】
ボディ２は合成樹脂により前面が開口した箱状に形成され、上下の両側面には各一対の係止突起１０が突設されている。ボディ２の内部は、底部から立設された隔壁２ｂによって２つの収納室に仕切られており、上側の収納室には一方のプリント基板７に実装されたスイッチ素子Ｑ１などの回路部品が収納され、下側の収納室にはプリント基板７に実装された図示しない端子板及び鎖錠ばねからなる所謂速結端子構造の接続端子Ｔ１〜Ｔ４が収納されている。ボディ２の背面には、下側の収納室に連通する電線挿通孔（図示せず）が開口しており、この電線挿通孔を通して被覆が剥かれた電線を挿入することによって、電線を接続端子Ｔ１〜Ｔ４に容易に接続できるようになっている。また上側の収納室にはスイッチ素子Ｑ１に熱結合された放熱板（図示せず）が収納されており、ボディ２の上壁及び左側壁には放熱性を高めるための複数の透孔２ａが貫設されている。
【００２５】
一方、カバー３は合成樹脂により背面が開口した箱状に形成され、上下の両側面の後縁からは係止孔１２を有する係止脚片１１が２個ずつ突設されている。而して、ボディ２とカバー３とは、カバー３に突設された係止脚片１１の係止孔１２にボディ２の係止突起１０を係止させることにより結合されており、結合時には係止脚片１１の弾性と係止突起１０の前端の傾斜面１０ａとを利用して簡単に係止できるようになっている。
【００２６】
またスイッチ本体１の表面側の部材であるカバー３には、既製の埋込式の配線器具を埋設する場合に用いる取付枠６０に着脱自在に取付可能とするために、左側の端面の上下に各一対の取付爪１３が突設され、右側の端面の上下方向における中央部に一対の取付爪１３が突設されている。なお右側の端面の後縁には、一対の取付爪１３が表面に突設された撓み片１５の上下両側にスリット１４，１４を形成してあり、撓み片１５が内側へ弾性的に撓むようにしてある。従って、既製の配線器具用の取付枠６０に取付爪１３，１３を係止させてスイッチ本体１を着脱自在に取り付けることができ、既製の埋込型の配線器具と同様にして壁面などの造営面に埋設できるようにしてある。
【００２７】
図１に示すように取付枠６０は縦長の窓孔６０ａを有し、窓孔６０ａの左右両側の側片６１，６１には、スイッチ本体１の取付爪１３がそれぞれ係止される２個１組の器具取付孔６２が等間隔に３組ずつ設けてあり、窓孔６０ａ内で配線器具の取付位置を３箇所選択できるようになっている。そして、この取付枠６０にスイッチ本体１を取り付ける際には、カバー３の左側の端面に形成された取付爪１３を、取付枠６０の左側の側片６１の上下に形成された器具取付孔６２に係止させた後、スイッチ本体１の右側部を取付枠６０側に押し込むと、カバー３の右側の端面に形成された取付爪１３が右側の側片６１で押されて撓み片１５が内側に撓み、撓み片１５の取付爪１３が右側の側片６１に形成された器具取付孔６２に係止することで、スイッチ本体１が取付枠６０に取着されるようになっている。なおスイッチ本体１を取付枠６０から取り外す際には、撓み片１５を内側に押して、撓み片１５の取付爪１３と、右側の側片６１に設けた器具取付孔６２との係止状態を解除することによって、スイッチ本体１を取付枠６０から容易に取り外すことができるようになっている。尚、取付枠６０の上下の側片には、それぞれ、埋込ボックスに取り付けるためのボックスねじ用の長孔６３と、壁を構成する石膏ボードなどに取り付けるための従来周知のはさみ金具（図示せず）が取着される取着孔６４と、プレート枠（図示せず）を固定するためのプレートねじ用のねじ孔６５とが設けられている。
【００２８】
またカバー３の前面には、上下方向における中央部の左側部に、横向となった軸部１６，１６が所定間隔を開けて２つ突設してあり、これらの軸部１６，１６は上部が横向きの略円柱形状をしている。カバー３前面の軸部１６，１６が形成された側と反対側（右側）の部位には、後述するピアノハンドル４の係止脚片２７，２７がそれぞれ挿入される係止孔１７，１７が貫設されている。またカバー３の前面には上下両側部に横長の透孔がそれぞれ形成され、これらの透孔内に一端部がカバー３に片持ち支持された矩形板状の弾性ばね片（弾性付勢片）１８，１８がカバー３と連続一体に形成されており、各弾性ばね片１８，１８の自由端側は前方に突出して、ピアノハンドル４裏面の右側部の上下にそれぞれ当接し、ピアノハンドル４を前方に押圧している。
【００２９】
またカバー３内には押釦スイッチＳＷ１、切替スイッチＳＷ２、発光ダイオードＬＤ１受光モジュール７２ａなどの部品が実装されたもう１枚のプリント基板（図示せず）が納装されており、このプリント基板とボディ２内に収納されるプリント基板７との間はフレキシブルフラットケーブルなどの配線を介して電気的に接続されている。そしてカバー３の前面には、係止孔１７，１７の中間部の左側にタクトスイッチのような押釦スイッチＳＷ１の押釦５１を露出させる丸孔１９が、この丸孔１９の下方には切替スイッチＳＷ２を構成するスライドスイッチの摘み５２を露出させる窓孔２０がそれぞれ貫設され、さらに軸部１６，１６の中間部の右側に発光ダイオードＬＤ１を露出させる丸孔２１が、この丸孔２１の下方には受光モジュール７２ａの受光面を露出させる丸孔２２がそれぞれ貫設されている。
【００３０】
一方ピアノハンドル４は合成樹脂により前面視の形状が略矩形状に形成されており、左側部の裏面には軸部１６，１６に対向する部位に、後側に開口した穴２３とこの穴２３内に取着される金属製の軸受け用ばね２４とで構成される枢支部が設けられており、穴２３内に挿入された軸部１６に軸受け用ばね体２４が弾接することによって、軸部１６に対し回動自在に軸支されている。またピアノハンドル４の裏面には、押釦５１に対向する部位に押釦５１を押圧する押圧突起３９が突設されており、この押圧突起３９の周りにはカバー３の丸孔１９の周りに設けたボス１９ａを逃がす凹部３９ａが形成されている。また更にピアノハンドル４の裏面における枢支部と反対側の端部（右端部）には、図４に示すように上下方向における中央部から両側部に行くにつれて、カバー３（スイッチ本体１）の前面から遠ざかる向きに傾斜するテーパ面４ａ，４ａが形成されている。
【００３１】
またピアノハンドル４前面の左端部からは上下方向に沿って延びる細幅の突台２５が前方に向かって突設されており、前面の突台２５以外の部位には突台２５よりも薄肉であってワイヤレスリモコン６が着脱自在に取り付けられる取付部２６を形成してある。また、ピアノハンドル４の右側部の裏面には、カバー３の係止孔１７，１７に対向する部位に、係止孔１７と係止する爪２７ａが先端に突設された一対の係止脚片２７がそれぞれ突設されており、これらの係止脚片２７，２７の近傍に希土類磁石（例えばネオジウム磁石やコバルト磁石など）からなる短冊状の永久磁石８が貼着されている。
【００３２】
受光カバー５は、赤外光に対して透光性を有するとともに可視光に対して遮光性を有するような合成樹脂により帯板状に形成されており、受光カバー５の背面に突設されたかしめ突起（図示せず）をピアノハンドル４に貫設された孔２９に通し、ピアノハンドル４の裏面側に突出した先端部を潰すことによってピアノハンドル４にかしめ固定される。ところでピアノハンドル４には、スイッチ本体１の前面に露設された発光ダイオードＬＤ１及び受光モジュール７２ａにそれぞれ対向する部位にピアノハンドル４を貫通する貫通孔３０，３１が貫設されており、貫通孔３０には発光ダイオードＬＤ１の発光を外部に導くためのほたる表示片９が取り付けられる。ほたる表示片９は、貫通孔３０内に挿入される矩形板状の導光部３４と、導光部３４の上下両側面からそれぞれ上下に突出するかしめ片３５，３５とを有し、導光部３４を貫通孔３０内に挿入した状態で、ピアノハンドル４の裏面に突設したかしめ突起３６をかしめ片３５の孔に通し、その先端を潰すことによってピアノハンドル４に取り付けられる。この時、ほたる表示片９の導光部３４の先端は貫通孔３０から前方に突出し、受光カバー５に設けた切欠溝３３を通して前面に露出している。また受光カバー５には、貫通孔３１に臨む部位にワイヤレスリモコン６から送信される光信号を受光モジュール７２ａに集光するためのレンズ部３２が形成されている。
【００３３】
而して、受光カバー５、ほたる表示片９、及び永久磁石８が取着されたピアノハンドル４の枢支部をカバー３の軸部１６，１６に軸支させるとともに、係止脚片２７，２７をカバー３の係止孔１７，１７に挿入すると、ピアノハンドル４がカバー３に対して回動自在に軸支され、枢支部を構成する軸受け用ばね２４などによって操作方向と反対側に付勢されて、復帰位置まで移動する。この時、係止脚片２７の爪２７ａが係止孔１７の孔縁と係止することで、ピアノハンドル４の抜け止めが為されている。また発光ダイオードＬＤ１にほたる表示片９の導光部３４が対向するとともに、受光モジュール７２ａの受光面に受光カバー５のレンズ部３２が対向しており、発光ダイオードＬＤ１の発光がほたる表示片９を通して外部に導かれ、ワイヤレスリモコン６から送信された光信号がレンズ部３２により受光モジュール７２ａに集光されるのである。この状態からピアノハンドル４の操作側を押操作すると、ピアノハンドル４が軸部１６を中心に回転し、ピアノハンドル４裏面の押圧突起３９によって押釦スイッチＳＷ１の押釦５１が押操作される。なおピアノハンドル４の凹部３９ａがボス１９と当接することによって、それ以上のピアノハンドル４の押し込みができないようになっている。その後ピアノハンドル４の操作側を押す力をなくすと、押釦スイッチＳＷ１の押釦５１に発生する復帰力と軸受け用ばね２４及び弾性ばね片１８に発生する復帰力とを受けてピアノハンドル４が復帰位置まで移動する。なお、ピアノハンドル４前面の右端部には、操作位置を表示するための突起３７が突設されており、突起３７に触れることで暗闇でも操作位置が容易に判別でき、また視覚障害者や高齢者なども操作位置を容易に判別できるようにしている。
【００３４】
次にワイヤレスリモコン６の構造について説明する。ワイヤレスリモコン６は、ケース４０と、プリント基板４１と、メンブレンシート４２と、電池ホルダー４３と、鉄片４４（磁性体）と、摘み４５とを主たる構成として有する。
【００３５】
ケース４０は合成樹脂により背面及び下面が開口した扁平な直方体状に形成され、ケース４０の前面は幅方向における中間部が両側部よりも前方に突出するような曲面に形成され、全体として蒲鉾型に形成されている。ケース４０の下部には、左右の側壁の後縁間を連結する連結片４６が一体に形成されており、ケース４０の上側壁と左右の側壁と連結片４６とで囲まれる収納凹部４０ａにプリント基板４１と鉄片４４とが収納される。また、ケース４０の前壁と左右の側壁と連結片４６とで囲まれる空間は電池ホルダー４３を挿入する挿入口となり、この挿入口から挿入された電池ホルダー４３の後部を収納する収納凹部４０ｂが連結片４６の下側に形成されている。また、ケース４０の長手方向に沿う両側壁の内、ピアノハンドル４に装着した際に突台２５の端面と対向する側壁の上下両側部には、突台２５の端面の上下両端部に形成した位置決めリブ３８，３８と係止する係止凹部５７，５７が上下両端部に形成されており、突台２５と反対側の側壁にはワイヤレスリモコン６を外す際に指で引っ掛けるための突条５９が上下方向に沿って突設されている。またケース４０の側壁の後縁には、ピアノハンドル４の突起３７と対向する部位にこの突起３７と係止する係止溝４０ｃが形成され、さらにケース４０の前面における係止溝４０ｃの裏側部付近には操作位置を表示するための突起５８が突設されている。
【００３６】
一方電池ホルダー４３は合成樹脂成型品からなり、円板の上部を切り欠いたような形状に形成されて釦電池よりなる電池Ｂの底面に当接する底壁４７ａ、及び、底壁４７ａの周縁部から立設された前面視略Ｃ字状の側壁４７ｂからなる電池保持部４７と、電池保持部４７の下側部に連続一体に突設された略直方体状の基台部４８と、側壁４７ｂの周面に撓み片４９ａを介して連続一体に連結された嵌合部４９とを有する。基台部４８の表面にはホルダー外し時に手の爪を引っ掛けるための引掛凹部４８ａが形成され、さらに基台部４８における嵌合部４９と反対側の端部には、ケース４０の係止凹部５５と係止する爪４８ｃが先端部に形成された弾性係止片４８ｂが突設されている。また嵌合部４９には手の爪を引っ掛けるための外し溝４９ｂが後面及び下面に形成され、ケース４０の側壁と対向する面には側壁に設けた係止凹部５６と係止する係止爪４９ｃが突設されている。
【００３７】
プリント基板４１は矩形板状であって、ピアノハンドル４に装着した際に永久磁石８と対向する部位に鉄片４４を収めるための矩形状の切欠部４１ａが形成されている。またプリント基板４１の部品実装面には上述した制御回路部８０、送信回路部８１、および電源回路部８２を構成する回路部品や電池ホルダー４３に保持された釦電池の正極及び負極にそれぞれ接触する接触ばね片（図示せず）が実装されており、スライドスイッチよりなる切替スイッチＳＷ４に被せた摘み４５とプリント基板４１と鉄片４４とをケース４０の収納凹部４０ａに収納すると、プリント基板４１に実装された発光ダイオードＬＤ２がケース４０の上側壁の孔５３に臨むように配置され、さらにケース４０の側壁に設けた孔５４から摘み４５の操作部４５ａが露出するようになっている。
【００３８】
このプリント基板４１の表面には合成樹脂により形成された可撓性を有する板状のメンブレンシート４２が貼り付けられ、このメンブレンシート４２によってケース４０の開口が閉塞される。メンブレンシート４２に側縁には係止溝４０ｃに対向する部位に凹溝４２ｃが形成されている。またメンブレンシート４２の表面の上側部にはドーム状に突出する操作凸部４２ａが形成されており、この操作凸部４２ａの裏側には導電性インクを円形領域に塗布することによって導電部４２ｂが形成されている。一方、プリント基板４１には、導電部４２ｂに対向する部位に、略一定の間隔をおいて互いに噛合するように配置された一対の櫛歯状の接点部５０ａ，５０ｂがカーボンペーストを印刷することによって形成されている。ここに、接点部５０ａ，５０ｂと導電部４２ｂとで上述の操作スイッチＳＷ３が構成され、タクトスイッチなどの既存のスイッチを用いる場合に比べてワイヤレスリモコン６を薄型化でき、またコストダウンが図れる。而して、メンブレンシート４２に設けたリモコン操作部としての操作凸部４２ａを押操作すると、メンブレンシート４２が撓んで導電部４２ｂが接点部５０ａ，５０ｂに接触し、接点部５０ａ，５０ｂ間が導電部４２ｂを介して導通することにより、制御回路部８０に操作入力が与えられ、送信回路部８１が制御回路部８０の制御信号に応じて発光ダイオードＬＤ２を駆動し、ワイヤレス信号で切替信号を送信するようになっている。
【００３９】
以上のようなワイヤレスリモコン６を組み立てるに当たっては、ケース４０の収納凹部４０ａ内に、切替スイッチＳＷ４に被せた摘み４５と、プリント基板４１と、鉄片４４とを挿入した後、ケース４０の開口側からメンブレンシート４２を貼り付ければ良い。ここに、ケース４０とメンブレンシート４２とでリモコン本体が構成される。そして、釦電池を収めた電池ホルダー４３を正しい向きに向けて挿入口から挿入すると、弾性係止片４８ｂの爪４８ｃ及び嵌合部４９の係止爪４９ｃがそれぞれケース４０の係止凹部５５，５６に係止することによって、電池ホルダー４３がケース４０に取り付けられる。一方、電池ホルダー４３を取り外す際には、電池ホルダー４３の嵌合部４９に設けた外し溝４９ｂに手の爪を引っ掛けて、撓み片４９ａを撓ませて、係止爪４９ｃと係止凹部５６との係止状態を解除した後、引掛凹部４８ａに手の爪を引っ掛けて、電池ホルダー４３を引き出せば良い。
【００４０】
このワイヤレスリモコン６はピアノハンドル４の取付部２６に取り付けられる。すなわちワイヤレスリモコン６とピアノハンドル４の向きを合わせて、ワイヤレスリモコン６をピアノハンドル４の取付部２６に前面側から取り付けると、ワイヤレスリモコン６のケース４０内に納装された鉄片４４がピアノハンドル４に取着した永久磁石８によって吸着され、ワイヤレスリモコン６がピアノハンドル４に取り付けられる。この時、ワイヤレスリモコン６のケース４０に設けた係止凹部５７とピアノハンドル４の位置決めリブ３８が係止するとともに、ケース４０の係止溝４０ｃにピアノハンドル４の突起３７が係止することで、ワイヤレスリモコン６がピアノハンドル４に対して位置決めされ、ワイヤレスリモコン６の位置ずれが起こりにくくなっている。そして、この状態でワイヤレスリモコン６の前面の操作側（突起５８側）を押すと、ワイヤレスリモコン６の押力をピアノハンドル４が受けて、軸部１６を中心に回転し、ピアノハンドル４裏面の押圧突起３９によって押釦スイッチＳＷ１の押釦５１が押操作される。その後ワイヤレスリモコン６の操作側を押す力をなくすと、押釦スイッチＳＷ１の押釦５１に発生する復帰力と軸受け用ばね２４及び弾性ばね片１８に発生する復帰力とを受けてワイヤレスリモコン６（ピアノハンドル４）が復帰位置まで移動する。
【００４１】
一方、ワイヤレスリモコン６をピアノハンドル４から外してリモコン操作を行う場合は、ワイヤレスリモコン６のケース４０に設けた突条５９に手を掛けて、ケース４０を前側に引っ張ると、ケース４０を容易に取り外すことができ、上述のようにしてリモコン操作が行えるのである。
【００４２】
ここで、本実施形態ではピアノハンドル４の前面に薄肉の取付部２６を設けて、この取付部２６にワイヤレスリモコン６を装着しているので、ワイヤレスリモコン６の壁面からの突出量をできるだけ小さくでき、また取付部２６を薄肉（約０．５ｍｍ）に形成することで、ピアノハンドル４に取り付けた永久磁石８とワイヤレスリモコン６の内部に収納した鉄片４４との間の距離が短くなり、磁力によるワイヤレスリモコン６の取付強度を高めることができる。
【００４３】
またワイヤレスリモコン６が装着されるピアノハンドル４の部位（取付部２６）を薄肉にすることで、樹脂成型時に発生する外力によってピアノハンドル４の端が多少反ることも考えられるが、本実施形態ではピアノハンドル４の裏面における枢支部と反対側の端部（右端部）に、上下方向における中央部から両側部に行くにつれて、カバー３の前面から遠ざかる向きに傾斜するテーパ面４ａ，４ａが形成されているので、ピアノハンドル４の両側部が多少反っていたとしても、ピアノハンドル４の両側付近でピアノハンドル４の裏側面とカバー３の前面との間の隙間（ストローク）を確実に確保でき、ピアノハンドル４の両側部を押してスイッチ操作を行うことができる。また更に、ピアノハンドル４の裏面における枢支部と反対側の部位の上下両側部をそれぞれ前方に押圧する押圧ばね片１８，１８がカバー３と一体に形成されており、ピアノハンドルにおける枢支部と反対側の部位の上下両側部をそれぞれ押圧ばね片１８，１８で前方に押圧しているので、上述と同様にピアノハンドル４の両側部が多少反っていたとしても、ピアノハンドル４の両側付近でピアノハンドル４の裏側面とカバー３の前面との間の隙間（ストローク）を確実に確保でき、ピアノハンドル４の両側部を押してスイッチ操作を行うことができる。
【００４４】
またワイヤレスリモコン６のケース４０は直方体状であって、短幅方向に対向する２つの側壁が、ピアノハンドル４の短幅方向に対向する２つの辺に略平行するようにしてピアノハンドル４の前面に取り付けられており、ケース４０の前面は短幅方向における中間部が両側部に比べて前方に突出するような曲面形状に形成されているので、操作性を良好にできる。またケース４０は短幅方向の中央部に比べて両側部の厚みが小さくなっているので、内部の回路に動作電源を供給する釦電池を保持した電池ホルダー４３が挿抜自在に挿入される挿入口が、ケース４０の短幅方向に対向する２つの側壁の何れかに開口していると、ケース４０の両側部の厚みが厚くなって壁面からの突出量が大きくなり、また長手方向に対向する２つの側壁の内、発光ダイオードＬＤ２が配設された側壁は発光ダイオードＬＤ２のために電池の収納スペースが確保できなくなるが、本実施形態ではケース４０の長手方向に対向する２つの側壁の内の一方（上側壁）に発光ダイオードＬＤ２を配置するとともに、他方（下側壁）に電池ホルダー４３の挿入口を設けてあり、厚みが最も厚くなるケース４０の短幅方向中央部に電池ホルダー４３を配置しているので、ケース４０（ワイヤレスリモコン６）の厚みをできるだけ薄くでき、壁面からのワイヤレスリモコン６の突出量を小さくして、他の配線器具とのデザインの統一性を確保することができる。
【００４５】
なお本実施形態では、ワイヤレスリモコン６のケース４０に取り付けた鉄片４４と、この鉄片４４に対応するピアノハンドル４の部位に取り付けられた永久磁石８とで、ワイヤレスリモコン６とピアノハンドル４とを磁力で結合する結合手段を構成しているが、ワイヤレスリモコン６のケース４０に永久磁石を取り付けるとともに、この永久磁石に対応するピアノハンドル４の部位に磁性体を取り付けて、ワイヤレスリモコン６とピアノハンドル４とを磁力で結合するようにしても良く、この場合はワイヤレスリモコン６のケース４０に永久磁石を取り付けているので、ワイヤレスリモコン６をスチール製の机や冷蔵庫など磁性体でできたものに取り付けて使用することができ、使い勝手が向上する。
【図面の簡単な説明】
【００４６】
【図１】本実施形態のワイヤレススイッチの分解斜視図である。
【図２】同上の外観斜視図である。
【図３】同上の一部省略せる分解斜視図である。
【図４】同上を示し、ワイヤレスリモコンを外した状態の側面図である。
【図５】同上を示し、ワイヤレスリモコンを装着したピアノハンドルをカバーに付けた状態を下側から見た断面図である。
【図６】同上を示し、ピアノハンドルをカバーに付けた状態を下側から見た図である。
【図７】同上に用いるピアノハンドルの背面図である。
【図８】同上に用いるワイヤレスリモコンの分解斜視図である。
【図９】同上に用いるワイヤレスリモコンを示し、メンブレンシートを外した状態の斜視図である。
【図１０】同上に用いるワイヤレスリモコンのプリント基板を示し、（ａ）は部品面側のパターン図、（ｂ）は半田面側のパターン図である。
【図１１】同上に用いるワイヤレスリモコンのメンブレンシートを示し、（ａ）は正面図、（ｂ）は背面図である。
【図１２】同上を示し、スイッチ本体に収納される回路の回路図である。
【図１３】同上を示し、ワイヤレススイッチに収納される回路の回路図である。
【図１４】従来のスイッチ装置を下側から見た図である。
【符号の説明】
【００４７】
１    スイッチ本体
４    ピアノハンドル
６    ワイヤレスリモコン
８    永久磁石
２６  取付部
【図１】
2005038795.tif 000003
【図２】
2005038795.tif 000004
【図３】
2005038795.tif 000005
【図４】
2005038795.tif 000006
【図５】
2005038795.tif 000007
【図６】
2005038795.tif 000008
【図７】
2005038795.tif 000009
【図８】
2005038795.tif 000010
【図９】
2005038795.tif 000011
【図１０】
2005038795.tif 000012
【図１１】
2005038795.tif 000013
【図１２】
2005038795.tif 000014
【図１３】
2005038795.tif 000015
【図１４】
2005038795.tif 000016